(57)【要約】      （修正有）【課題】コンクリートプレキャスト板において、軸方向の引張強度を向上し、コンクリート構造における埋め込み鉄筋の軸方向の変位を減少させ、コンクリートプレキャスト板の曲げ抗力が変わらない条件下で、厚みを低減し、重量を軽減し、材料を節約する。あるいは、コンクリートプレキャスト板の厚みが変わらない条件下で、曲げ抗力を強めるＴ字形端部の埋め込み鉄筋を提供する。【解決手段】埋め込み鉄筋本体を含む、Ｔ字形端部の埋め込み鉄筋であって、埋め込み鉄筋本体は、鉄筋本体と、端部が垂直に熱間鍛造成形されたアンカーディスク２とを含み、鉄筋本体とアンカーディスクは熱間鍛造された後にＴ字形の全体構造を呈する。鉄筋本体には、熱間圧延されたリブ付き鉄筋１を用い、アンカーディスク内側面３は鉄筋本体の縦方向軸線に垂直であり、移行円弧面５を介して外側面４と共に、厚みを有する。【選択図】図１
0003191370.tif 000002
【実用新案登録請求の範囲】
【請求項１】
埋め込み鉄筋本体を含む、Ｔ字形端部の埋め込み鉄筋であって、前記埋め込み鉄筋本体は、鉄筋本体と、端部が垂直に熱間鍛造成形されたアンカーディスクとを含み、前記鉄筋本体と前記アンカーディスクとは熱間鍛造された後にＴ字形の全体構造を呈することを特徴とするＴ字形端部の埋め込み鉄筋。
【請求項２】
前記鉄筋本体に、熱間圧延されたリブ付き鉄筋を用いることを特徴とする請求項１に記載のＴ字形端部の埋め込み鉄筋。
【請求項３】
前記アンカーディスクはアンカーディスク内側面とアンカーディスク外側面とを含み、前記アンカーディスク内側面は鉄筋本体の縦方向軸線に垂直であり、前記アンカーディスク内側面は、移行円弧面を介してアンカーディスク外側面と共に、厚みを有するアンカーディスクを構成することを特徴とする請求項１または２に記載のＴ字形端部の埋め込み鉄筋。
【請求項４】
前記アンカーディスク内側面の面積は鉄筋本体の横断面積の４倍よりも大きいことを特徴とする請求項３に記載のＴ字形端部の埋め込み鉄筋。
【請求項５】
前記アンカーディスクの厚みは鉄筋本体の直径の７０％よりも大きいことを特徴とする請求項４に記載のＴ字形端部の埋め込み鉄筋。
【請求項６】
前記アンカーディスク外側面の幅寸法は鉄筋本体の直径と同じであることを特徴とする請求項５に記載のＴ字形端部の埋め込み鉄筋。
【請求項７】
前記アンカーディスクの頂部に、前記アンカーディスク内側面および外側面に垂直な厚み端面が設けられており、前記厚み端面は鉄筋本体の縦方向軸線に平行であることを特徴とする請求項６に記載のＴ字形端部の埋め込み鉄筋。
【考案の詳細な説明】
【技術分野】
【０００１】
本考案は建築埋め込み構造部材に属し、特に、コンクリートプレキャスト板を打設する前に使用するのに適したＴ字形端部の埋め込み鉄筋に関する。
【背景技術】
【０００２】
鉄筋コンクリート構造は、鉄筋が配されて補強されたコンクリートで作られる構造を指す。荷重を受ける主要な部材は鉄筋コンクリートで建造される。シェル構造、大型型枠現場打ち構造、スライド型枠やリフトスラブ等を使って建造される鉄筋コンクリート構造の建築物を含む。鉄筋とコンクリートで作られる構造である。鉄筋は引張力を受け、コンクリートは圧縮力を受ける。頑丈で耐久性があり、防火性が優れており低コストである等の長所を有する。コンクリートの受圧力を十分に発揮させるために、コンクリートが引っ張られる領域内または対応する部位に一定量の鉄筋を加え、２種類の材料を一体に結合させて、共に外力を受けるようにする必要がある。通常は鉄筋端部に湾曲フックを加えて折り曲げるか、短い鉄筋やアングル鋼をアンカー領域に溶接してアンカー力を提供する。近年は、コンクリートプレキャスト板の工場化、産業化が進むにつれて、コンクリート用リブ付き鉄筋が幅広く用いられている。熱間圧延されたリブ付き鉄筋については、ほとんどの各国で溶接金網の形で工事に用いられており、ストレート鉄筋を用いて現場でバインドを行っているのはわずかである。ストレート鉄筋と溶接金網のいずれにおいても工場化生産が実行されており、施工進度に応じてバッチごとに施工現場に送ることが要求されるが、鉄筋工は図面に従って敷設しさえすればよく、いかなる加工もさらに行う必要がない。リブ付き鉄筋の一端が熱間鍛造を経て釘ヘッド式の埋め込み筋になり、使用時に接触面積が小さく、コンクリート構造から軸方向に抜き出しやすく、かつ、ヘッドが占める空間が大きいので、コンクリートが厚くなる。
【考案の概要】
【考案が解決しようとする課題】
【０００３】
本考案は、従来技術の欠点を克服するため、Ｔ字形端部の埋め込み鉄筋を提供し、コンクリートプレキャスト板において、軸方向の引張強度を向上し、コンクリート構造における埋め込み鉄筋の軸方向の変位を減少させ、コンクリートプレキャスト板の曲げ抗力が変わらない条件下で、厚みを低減し、重量を軽減し、材料を節約するか；あるいは、コンクリートプレキャスト板の厚みが変わらない条件下で、曲げ抗力を強める。
【課題を解決するための手段】
【０００４】
本考案は上記の目的を実現するため、以下の技術案により実現される。即ち、埋め込み鉄筋本体を含む、Ｔ字形端部の埋め込み鉄筋であって、前記埋め込み鉄筋本体は、鉄筋本体と、端部が垂直に熱間鍛造成形されたアンカーディスクとを含み、前記鉄筋本体とアンカーディスクは熱間鍛造された後にＴ字形の全体構造を呈することを特徴とするＴ字形端部の埋め込み鉄筋を提供することである。
【０００５】
前記鉄筋本体に、熱間圧延されたリブ付き鉄筋を用いる。
【０００６】
前記アンカーディスクはアンカーディスク内側面とアンカーディスク外側面とを含み、前記アンカーディスク内側面は鉄筋本体の縦方向軸線に垂直であり、前記アンカーディスク内側面は、移行円弧面を介して、厚みを有するアンカーディスクをアンカーディスク外側面と共に構成する。
【０００７】
前記アンカーディスク内側面の面積は鉄筋本体の横断面積の４倍よりも大きい。
【０００８】
前記アンカーディスクの厚みは鉄筋本体の直径の７０％よりも大きい。
【０００９】
前記アンカーディスク外側面の幅寸法は鉄筋本体の直径と同じである。
【００１０】
前記アンカーディスクの頂部に、アンカーディスク内側面および外側面に垂直な厚み端面が設けられており、前記厚み端面は鉄筋本体の縦方向軸線に平行である。
【考案の効果】
【００１１】
有益な効果は次の通りである。リブ付き鉄筋が熱間鍛造成形されてＴ字形構造を呈し、コンクリートプレキャスト板において、軸方向の引張強度を向上し、コンクリート構造における埋め込み鉄筋の軸方向の変位を減少させ、コンクリートプレキャスト板の曲げ抗力が変わらない条件下で、厚みを低減し、重量を軽減し、材料を節約する。あるいは、コンクリートプレキャスト板の厚みが変わらない条件下で、曲げ抗力を強める。
【図面の簡単な説明】
【００１２】
【図１】図１は本考案の正面構造の概略図である。
【図２】図２は本考案の構造の軸測投影概略図である。
【符号の説明】
【００１３】
図中、１はリブ付き鉄筋本体であり、２はアンカーディスクであり、３はアンカーディスク内側面であり、４はアンカーディスク外側面であり、５は移行円弧面であり、６はアンカーディスクの厚み端面である。
【考案を実施するための形態】
【００１４】
以下、好ましい実施例を参照しながら、本考案が提供する具体的な実施形態に基づいて、次のように詳述する。
【実施例】
【００１５】
図面１、２を詳しく見ると、本考案の実施例は、埋め込み鉄筋本体を含む、Ｔ字形端部の埋め込み鉄筋であって、前記埋め込み鉄筋本体は、鉄筋本体と、端部が垂直に熱間鍛造成形されたアンカーディスク２とを含み、前記鉄筋本体とアンカーディスクは熱間鍛造された後にＴ字形の全体構造を呈するＴ字形端部の埋め込み鉄筋を提供する。前記鉄筋本体に、熱間圧延されたリブ付き鉄筋１を用いる。前記アンカーディスクはアンカーディスク内側面３とアンカーディスク外側面４とを含み、前記アンカーディスク内側面は鉄筋本体の縦方向軸線に垂直であり、前記アンカーディスク内側面は移行円弧面５を介して、厚みを有するアンカーディスクをアンカーディスク外側面と共に構成する。Ｔ字形の全体構造とコンクリートの接触面積が大きく、アンカーディスク内側面およびリブ付き鉄筋本体の軸方向の引張強度を向上する。コンクリートプレキャスト板に鉄筋を配置する場合、長さ３．５メートルのプレキャスト板を例にすると、本考案のＴ字形の埋め込み鉄筋は、直径１９ミリメートル、長さ１．９４５メートルであり、縦方向コッター筋になる。合成版が３つの部分に分けられ、両端の合成版の空間幅はそれぞれ１．５６５メートルであり、中間の合成版の空間幅は０．４１メートルである。２本のＴ字形埋め込み鉄筋の１組が合成版を貫通する際には、そのうち１本が左の他の一本に右向きに貫通し、Ｔ字形埋め込み鉄筋の各組の、アンカーディスクが付いた端部の鉄筋が中間の合成版の空間に重ね合わされ、重ね合わせ長さは０．２８５メートルである。アンカーディスク面と鉄筋本体が直角に連結されるため、コンクリートと接触する端部の面積が大きくなり、引張強度が大きくなる。プレキャスト板の成形後に中間に加圧すると、破壊荷重は１９１．２ＫＮである。
【００１６】
Ｔ字形端部の埋め込み鉄筋の各組は中央部における重ね合わせが短く、荷重が大きいため、コンクリートプレキャスト板中間の柔軟性を克服してコンクリートプレキャスト板全体の強度を高めているだけでなく、Ｔ字形端部の埋め込み鉄筋全体の長さを短くして材料を節約することもでき、輸送しやすく、現場での取り扱いに便利である。
【００１７】
本考案の好ましい案は、前記アンカーディスク外側面の幅寸法が鉄筋本体の直径と同じであり、前記アンカーディスク内側面３の面積は鉄筋本体１の断面積の４倍よりも大きい。前記アンカーディスクの厚みは鉄筋本体の直径の７０％よりも大きく、すなわち、強度を高めることができ材料も節約できる。
【００１８】
本考案の好ましい案は、前記アンカーディスクの頂部に、アンカーディスク内側面６が設けられており、鉄筋本体の縦方向軸線に平行であり、埋め込み鉄筋本体の径方向の空間を減少させ、コンクリートプレキャスト板の厚みを抑えることができる。
【００１９】
上述したのは、本考案の好ましい実施例であるにすぎず、本考案の構造にいかなる形の制限も加えていない。本考案の技術的本質に基づいて上記実施例に対して行われたいかなる簡単な修正、均等な変更および修飾も、すべて依然として本考案の技術案の範囲内に属する。
【図１】
0003191370.tif 000003
【図２】
0003191370.tif 000004